(57)【要約】【課題】床面全体を平らな面に簡単に仕上げることができ、汚れも少なくなり、床パネルの交換寿命が長くなるようにする。【解決手段】例えば１８０×９０ｃｍの木製合板からなる複数の第１床パネル１６を室内の床領域に並べると共に、この第１床パネル１６とは異なる大きさ、例えば４４×４４ｃｍ、９０×４４ｃｍ、９０×９０ｃｍの３種類のガルバリウム鋼板からなる第２床パネル１８を複数枚用意し、第１床パネル１６の上に、この第２床パネル１８をその合せ目が第１床パネル１６の合せ目に重ならないように配置する。この第２床パネル１８は、第１床パネル１６にビス止めすると共に、その壁面側では断面がＬ字状となるスチール巾木２０を用いてビス止め、固定する。【選択図】図１
0003109187.tif 000002
【実用新案登録請求の範囲】
【請求項１】
室内の床領域を分割した大きさの木製板からなり、床領域に並べて配置された複数の第１床パネルと、
この第１床パネルの上に配置される金属板からなり、上記第１床パネルとは異なる大きさとすることにより、上記第１床パネル同士の合せ目に重ならないように並べて配置された複数の第２床パネルと、を備えてなる組立式建築物。
【請求項２】
上記第２床パネルは、ガルバリウム鋼板からなることを特徴とする請求項１記載の組立式建築物。
【請求項３】
上記第２床パネルが壁面と交わる端部に、断面がＬ字状となるスチール巾木を配置し、このスチール巾木を少なくとも床パネルに固定したことを特徴とする請求項１記載の組立式建築物。
【考案の詳細な説明】
【技術分野】
【０００１】
本考案は、複数の床板を並べて平らな床面を作ることのできる組立式建築物に関するものである。
【背景技術】
【０００２】
従来から、プレハブ、パネルハウス、ユニットハウス等と呼ばれる簡易な組立式建築物が事務所、店舗、仮設住宅等として建設されており、これらの組立式建築物は、塗装された壁パネル、床パネル等、工場で仕上げられた構成部材を組み立てることから、組立工数が少なく、短時間に建設が完成するという利点がある。
【０００３】
【特許文献１】特開２００４−１８３４０８号公報
【考案の開示】
【考案が解決しようとする課題】
【０００４】
ところで、上記組立式建築物では、例えば９００ｍｍ×１８００ｍｍの大きさの木材（合板等）からなる床パネルを複数枚用意し、これらを土台、大曵等の上に隙間なく並べて配置することにより床面が組み立てられるが、この場合には、複数の床パネルの合せ目（繋ぎ目）に段差ができたり、僅かな隙間ができたりして、厳密に考えると、床面全体を平らな面に均一に仕上げることが難しいという問題があった。
【０００５】
また、組立式建築物に使用される床パネルは、解体及び組立を繰り返しながら何回も使用するため、使用頻度が高くなるにつれて汚れが目立ち、見栄えも悪くなり、耐久性があっても汚れにより新しいものに交換しなければならないという不都合も生じる。
【０００６】
本考案は上記問題点に鑑みてなされたものであり、その目的は、床面全体を平らな面に簡単に仕上げることができ、汚れも少なくなり、床パネルの交換寿命を長くすることができる組立式建築物を提供することにある。
【課題を解決するための手段】
【０００７】
上記目的を達成するために、本考案請求項１に係る組立式建築物は、室内の床領域を分割した大きさの木製板からなり、床領域に並べて配置された複数の第１床パネルと、
この第１床パネルの上に配置される金属板（例えば鋼板）からなり、上記第１床パネルとは異なる大きさとすることにより、上記第１床パネル同士の合せ目に重ならないように並べて配置された複数の第２床パネルと、を備えてなることを特徴とする。
請求項２に係る考案は、上記第２床パネルをガルバリウム鋼板（アルミニュウム−亜鉛の合金メッキを施したもの）から構成したことを特徴とする。
請求項３に係る考案は、上記第２床パネルが壁面と交わる端部に、断面がＬ字状となるスチール巾木を配置し、このスチール巾木を少なくとも床パネルに固定したことを特徴とする。
【考案の効果】
【０００８】
本考案の組立式建築物は、例えば０．８ｍｍの薄いガルバリウム鋼板からなる第２床パネルを、それらの合せ目が第１床パネル同士の合せ目に重ならないようにして並べることにより、床面全体を平らな面に簡単に仕上げることができ、また木製パネルのみの場合と比較すると汚れも少なくなり、床パネルの交換寿命が長くなるという利点がある。
【考案を実施するための最良の形態】
【０００９】
図１乃至図５には、本考案の１実施例の構成が示されており、図１に示されるように、組立建築物は、支柱１１が土台（木製又は鋼製）１２に取り付けられ、この支柱１１の間に、壁パネル１３が嵌め込まれる。また、上記土台１２の内側に設けられた大曵（木製又は鋼製）１５の上に第１床パネル１６が載せられており、この実施例の第１床パネル１６は、例えば厚さ１２ｍｍの木製合板１６ａの下に支持・補強木１６ｂ［図５（Ｂ）］を取り付けて構成され、図３（Ａ）に示されるように、１８００×９００（ｍｍ）の大きさ（縦横サイズ）となっている。
【００１０】
そして、上記第１床パネル１６の上に、例えば厚さ０．８ｍｍのガルバリウム鋼板（金属製）からなる大きさの異なる第２床パネル１８が載せられている。このガルバリウム鋼板は、鋼板の表裏にアルミニュウム（Ａｌ）−亜鉛（Ｚｎ）の合金メッキを施し、更に表面皮膜を形成したもので、建築物においてはサッシ、雨戸、トイ、フェンス等の材料として用いられており、耐食性、耐熱性が高く、鋼板としての高い硬度を持つという利点を有する。
【００１１】
このようなガルバリウム鋼板の第２床パネル１８としては、図２に示されるように、第１パネル１６の大きさとは異なる３種類の大きさの小パネル１８ａ、中パネル１８ｂ、大パネル１８ｃを備えている。即ち、図２（Ａ）の小パネル１８ａは、４４０×４４０（ｍｍ）の大きさ（縦横サイズ）、図２（Ｂ）の中パネル１８ｂは、９００×４４０（ｍｍ）の大きさ、図２（Ｃ）の大パネル１８ｃは、９００×９００（ｍｍ）の大きさとされ、これら小・中・大パネル１８ａ〜１８ｃには、図２（Ｄ）に示されるように、その周辺部の適当な位置に、ビス（ネジ）止めするための取付け孔１９が複数設けられている。
【００１２】
図３には、上述した第１床パネル１６と第２床パネル１８の配置状態が示されており、図３（Ａ）に示されるように、例えば８畳の部屋には、１８００×９００（ｍｍ）の大きさの第１床パネル１６が８枚、並べて配置される。そして、この第１床パネル１６の上に、図３（Ｂ）に示されるように、３種類の第２床パネル１８（ａ〜ｃ）を載せ、小パネル１８ａを四隅に４枚、中パネル１８ｂを四隅以外の周囲に３枚ずつ１２枚、大パネル１８ｃを小・中パネル１８ａ，１８ｂの内側に９枚配置する。即ち、第１床パネル１６とは異なる大きさの第２床パネル１８（ａ〜ｃ）を組み合わせることにより、第１床パネル１６同士の合せ目Ｋ１に、第２床パネル１８同士の合せ目Ｋ２が重ならないように配置する。その後、この第２床パネル１８は、その各パネル１８ａ〜１８ｃの適当な位置の取付け孔１９を用いて第１床パネル１６にビス２２で固定される。
【００１３】
このような構成によれば、木製合板からなる第１床パネル１６の合せ目（繋ぎ目）に多少の段差や隙間が生じていた場合でも、ガルバリウム鋼板からなる第２床パネル１８（ａ〜ｃ）が第１床パネルの合せ目を覆うので、第１床パネル１６の合せ目の段差や隙間が床表面に現れることはない。また、上記小・中・大の鋼板パネル１８ａ〜１８ｃがビス止め或いはそれ自体の重さ等によって平らになるように合わせて固定されるので、第２床パネル１８の合せ目に従来のような段差や隙間が生じることはない。
【００１４】
図４には、上記第２床パネル１８の壁パネル１３側の端部に設けるスチール巾木が示されており、このスチール（製）巾木２０は、図４（Ｃ）のように断面がＬ字状となるように直角に曲げられており、例えば９００ｍｍ（半間）程度の長さとされる。また、このスチール巾木２０の水平部（床側片）２０ａ又は／及び垂直部（壁側片）２０ｂには適当な位置に複数の取付け孔２１が設けられる。
【００１５】
このようなスチール巾木２０は、図５（Ａ），（Ｂ）に示されるように、その水平部２０ａを第２床パネル１８（ａ〜ｃ）に当て、かつ垂直部２０ｂを壁パネル１３に当てた状態で、ビス（ネジ）２２を例えば水平部２０ａのビス止め孔２１、第２床パネル１８のビス止め孔１９を介して第１床パネル１６に捩じ込むことにより（垂直部２０ｂでも壁パネル１３にビス止めしてもよい）、第２床パネル１８と共に第１床パネル１６に固定され、取り付けられる。
【００１６】
このスチール巾木２０によれば、巾木自体の取り付けと第２床パネル１８の固定・取り付けが簡単に行えるという利点がある。
【００１７】
上記実施例では、第２床パネル１８を３種類の大きさの小・中・大のパネル１８ａ〜１８ｃで構成したが、これに限らず、第１床パネル１６の大きさと異なる１種類又は２種類の大きさの第２床パネルとすることもできる。
【図面の簡単な説明】
【００１８】
【図１】実施例の組立式建築物の室内の構成を示す斜視図である。
【図２】実施例の組立式建築物に用いられる第２床パネルの構成を示す図である。
【図３】実施例の組立式建築物における第１床パネル［図（Ａ）］及び第２パネル［図（Ｂ）］の配置状態を示す図である。
【図４】実施例の組立式建築物に用いられるスチール巾木の構成を示す図である。
【図５】実施例の組立式建築物でのスチール巾木による接続状態を示し、図（Ａ）は一部断面の上面図、図（Ｂ）は図（Ａ）のＩ−Ｉ線断面図である。
【符号の説明】
【００１９】
１１…支柱、              １３…壁パネル、
１６…第１床パネル、      １８…第２床パネル、
１８ａ〜１８ｃ…小・中・大パネル（第２床パネル）、
２０…スチール巾木、
２２…ビス。
【図１】
0003109187.tif 000003
【図２】
0003109187.tif 000004
【図３】
0003109187.tif 000005
【図４】
0003109187.tif 000006
【図５】
0003109187.tif 000007